(57)【特許請求の範囲】
【請求項１】
糊付機本体の後部から引き入れたシート状壁装材を複数のローラで前方へ送り出しながら、前記糊付機本体内の糊桶に収容されている糊液を糊付けローラで前記壁装材の裏面に転写することによって連続的に糊液を塗布する自動壁紙糊付機において、
前記シート状壁装材の末端の通過を糊付けローラの直前で検知して糊付けローラの駆動を停止するクロス切れ検知手段を配し、
前記クロス切れ検知手段が、
駆動機構により回転駆動される糊付けローラ表面に前記壁装材を押し付けるために上から押さえて壁装材の移動に応じて回転する押さえローラの回転状態を検出する回転検出手段と、
前記糊付けローラの回転駆動中の押さえローラの回転の有無を認識して押さえローラの回転がない場合にクロス切れ信号を出力して糊付けローラの駆動を停止する制御手段とを含むことを特徴とする自動壁紙糊付機。
【請求項２】
前記クロス切れ検知手段が、
前記回転検出手段として、前記押さえローラの一方の軸心回りに１つ以上装着されたマグネット片と、
前記押さえローラの回転に伴い前記マグネット片の近接離反を検知する非接触型スイッチと、
前記スイッチに接続された本体側コイルと、
この本体側コイルに対向してコントローラに設置されたコントローラ側コイルとを備え、
前記制御手段が、前記糊付けローラの回転駆動中にコントローラ側コイルに予め定められた振動数のパルス電流を通電しつつ前記スイッチで通電状態から非通電状態への移行の際の本体側コイルの誘導電流による変化を認識して押さえローラの回転がない場合にクロス切れ信号を出力して糊付けローラの駆動を停止するものであることを特徴とする請求項１に記載の自動壁紙糊付機。
【請求項３】
前記非接触型スイッチが、接点としての微小な隙間を開けた２枚の磁性体リード細板の磁化を、前記押さえローラの一方の軸心回りに１つ以上装着されたマグネット片の動きに応じて切り替えるリードスイッチを備えたことを特徴とする請求項２に記載の自動壁紙糊付機。
【発明の詳細な説明】
【技術分野】
【０００１】
本発明は、室内壁面等に貼付されるシート状壁装材の裏面に連続的に糊を塗布する壁紙糊付機に関するものである。
【背景技術】
【０００２】
現在、建築物の内装施工における壁装材の室内壁面への貼付は、現場で専用の壁紙糊付機を用いてシート状の壁装材（以下、クロスとも記す）に連続的に糊を塗布しながら行うのが一般的となっている。
【０００３】
一般的な壁紙糊付機としては、互いに接続された上部構体と下部構体のそれぞれに配設した複数のローラによってクロスを上部構体と下部構体との間に後面から前面に引き入れ、各種ローラによりクロスを所定の経路に沿って移動させながら、下部構体内の糊桶内の糊をクロスの裏面に連続的に転写するものが提案されており（例えば、特許文献１参照）、種々の壁紙糊付機が既に市販されている。
【０００４】
より一般的な構成としては、ロール状に巻かれたクロスを懸架する台と糊付け後のクロスを受けるクロス受けとの間に糊桶を備えた下部構体と上部構体とを配置し、内部に複数のローラが配置された上部構体及び下部構体から構成される糊付機本体を支持脚部上に載置し、上下構体の間に挟み込んだクロスをローラで搬送しながら、下部構体の糊桶から糊をローラで糊上げ、クロス裏面に糊を転写塗布していくものである。
【０００５】
具体的には、下部構体上に原反ロールから繰り出したクロスを先端部が本体前方に垂れる状態で載置して上部構体を閉じて下部構体と上部構体の所定ローラ間にクロスを挟み込んだ状態にしておき、クロス裏面に糊を転写塗布していく。
【０００６】
このような壁紙糊付機には手動式と自動式とがある。即ち、手動式装置では作業者がクロス先端を持って前方へ引っ張ることにより、クロスを上下で挟んでいるローラの一部を追従回転させると共に他のローラをギアを介して連動回転させてクロスを糊付機本体の後方から前方へ搬送させながら、途中で糊桶内の糊をその回転によって引き上げているローラの頂点上で、このローラから糊が裏面に転写され、糊塗布済み状態で前方から送り出されてくる。また、自動式装置では、所定のローラの軸を電動モータ等の駆動源に連結して回転させることによって、他のローラもギアを介して連動回転するものである。
【０００７】
このような壁紙糊付機の具体的な挙動を、自動壁紙糊付機を例に説明する。図６は従来の自動壁紙糊付機の内部構成を示す説明図である。図に示す通り、糊付機本体１０１を構成する上部構体１０５及び下部構体１０４内には、複数のローラが配列されており、下部構体１０４内には、糊を収容している糊桶１０６が備えられている。
【０００８】
上部構体１０５内には、クロスを糊付機本体内に後部側から取り込むためのピンチローラを構成する上ピンチローラ１５１と、クロスＣに糊付機本体の前部方向への送り出し張力を付与するためのドライブローラ１５３と、これら上ピンチローラ１５１とドライブローラ１５３との間でクロスを上から押さえてクロスの移動に追従回転する押さえローラ１５２とが、互いに所定間隔で平行に配列されるように、それぞれ上部構体１０５の側板に軸支されている。
【０００９】
また、下部構体１０４内には、前記上ピンチローラ１５１と対になってピンチローラを構成する下ピンチローラ１４２と、糊液をクロス裏面に塗布する糊付けローラ１４１と、糊付けローラに接して糊量を調節するドクターローラ１４４と、前記ドライブローラ１５３と共にクロスに適度な張力を与えて前部方向へ送り出す均しローラ１４３とが、互いに所定間隔を持って平行に配列されるように、下部構体１０４の側板に軸支されている。また糊上げローラ１６１は、糊桶１０６の内部両側面に軸支されて糊桶１０６内の糊液を糊付けローラ１４１に転写する。
【００１０】
通常、これら複数のローラの内、下部構体１０４内に配列されたものは全てギアを介して連動するものである。一方、上部構体１０５内に配列されたものは、ドライブローラ１５３がギアを介して下部構体１０４のギア系と連動するものであり、上ピンチローラ１５１および押さえローラ１５２は、他のローラの回転駆動によって後方から前方へ搬送されていくクロスに当接して表面摩擦によって追従回転するものである。
【００１１】
このような構成の壁紙糊付機を用いた糊付け作業においては、まず、下部構体１０４に対して上部構体１０５を開いた状態とし、糊付機本体１０１の後方に軸支されているクロス原反ＲからクロスＣの先端を引き出し、２つのテンションバーを経て糊付機本体後部に取付けられたスリッタ１２０を通してから、その先端が本体全面側に垂れるようにクロスを下ピンチローラ１４２，糊付けローラ１４１，均しローラ１４３の上に載せ、上部構体１０５を閉じ、クロスの挟み込み状態を得る。
【００１２】
このようにクロスがセットされた状態において、自動壁紙糊付機の場合は駆動制御装置（図示せず）からの寸動指令によって、寸動量だけ駆動が開始される。この初期駆動によってギアでそれぞれ連結された各ローラが所定の周速比で回転を始めると、糊上げローラ１６１が糊桶内の糊を載せ上げつつ、糊付けローラ１４１へ糊を転写する。糊付けローラ１４１の表面へ転写された糊は、ドクターローラ１４４で所定量に調整されたのち、押さえローラ１５２を経て糊付けローラ１４１の頭頂部に送られてくるクロスの裏面に転写塗布される。
【００１３】
糊付けされたクロスは、その後ドライブローラ１５３と均しローラ１４３とによって張力を与えられた状態で牽引され、均しローラ１４３による糊面の均しが行われつつ本体前面に送り出されてくる。寸動量分のクロス裏面への糊付けが行われたら、装置の駆動が一旦止まり、先端の糊付けされていない不要なクロス部分をカッターで切断して糊付準備を終了する。
【００１４】
この糊付準備終了後、実際に必要なクロス長等の条件設定を駆動制御装置へ入力し、駆動制御装置からの作動命令によってモータによる装置の回転駆動が開始されると、裏面全面に糊付けされたクロスが本体前面から送り出され、所望の長さとなるとモータ駆動が停止する。所望の長さとなったクロスは、作業者によって所定の長さで糊付機本体前面に長手方向に配されたカッターガイドに沿ってカッターで切断され、折り畳まれ、糊付機前面に配置されたトレイＴ上に堆積される。
【特許文献１】実開平６−８１８００号公報
【発明の開示】
【発明が解決しようとする課題】
【００１５】
このような壁紙糊付機においては、ロール状に巻かれたクロスを解きながら糊付されるが、クロスの残量が少なくなった場合にクロス端末の通過を検知する検知手段はなかった。手動式壁紙糊付機であれば、作業者がクロスを引き出すため、ロール状に巻かれたクロスの端末が糊付機を通過したことは直ぐに判る。
【００１６】
しかしながら、自動壁紙糊付機を用いる場合には、検尺ローラとして用いられる上ピンチローラ１５１と下ピンチローラ１４２間に、常時ピンチ圧が生じているため、クロスがなくなっても検尺ローラによって糊付長さがカウントされ続けるため、作業者は最後のクロスの糊付長さが判らず、糊付後に再測長し直す必要があり、作業効率を著しく阻害していた。
【００１７】
本発明は、解かれながら糊付されるロール状に巻かれたクロスの端末の通過を検知し、端末が検知された場合に速やかに糊付ロールの駆動を停止することのできる自動壁紙糊付機を得ることを目的とする。
【課題を解決するための手段】
【００１８】
請求項１に記載された発明に係る自動壁紙糊付機は、糊付機本体の後部から引き入れたシート状壁装材を複数のローラで前方へ送り出しながら、前記糊付機本体内の糊桶に収容されている糊液を糊付けローラで前記壁装材の裏面に転写することによって連続的に糊液を塗布する自動壁紙糊付機において、
前記シート状壁装材の末端の通過を糊付けローラの直前で検知して糊付けローラの駆動を停止するクロス切れ検知手段を配したことを特徴とするものである。
【００１９】
好ましくは、前記クロス切れ検知手段が、
駆動機構により回転駆動される糊付けローラ表面に前記壁装材を押し付けるために上から押さえて壁装材の移動に応じて回転する押さえローラの回転状態を検出する回転検出手段と、
前記糊付けローラの回転駆動中の押さえローラの回転の有無を認識して押さえローラの回転がない場合にクロス切れ信号を出力して糊付けローラの駆動を停止する制御手段とを含むことを特徴とするものである。
【００２０】
請求項２に記載された発明に係る自動壁紙糊付機は、請求項１に記載のクロス切れ検知手段が、
前記回転検出手段として、前記押さえローラの一方の軸心回りに１つ以上装着されたマグネット片と、
前記押さえローラの回転に伴い前記マグネット片の近接離反を検知する非接触型スイッチと、
前記スイッチに接続された本体側コイルと、
この本体側コイルに対向してコントローラに設置されたコントローラ側コイルとを備え、
前記制御手段が、前記糊付けローラの回転駆動中にコントローラ側コイルに予め定められた振動数のパルス電流を通電しつつ前記スイッチで通電状態から非通電状態への移行の際の本体側コイルの誘導電流による変化を認識して押さえローラの回転がない場合にクロス切れ信号を出力して糊付けローラの駆動を停止するものであることを特徴とするものである。
【００２１】
請求項３に記載された発明に係る自動壁紙糊付機は、請求項２に記載の非接触型スイッチが、接点としての微小な隙間を開けた２枚の磁性体リード細板の磁化を、前記押さえローラの一方の軸心回りに１つ以上装着されたマグネット片の動きに応じて切り替えるリードスイッチを備えたことを特徴とするものである。
【発明の効果】
【００２２】
本発明は、解かれながら糊付されるロール状に巻かれたクロスの端末の通過を検知し、端末が検知された場合に速やかに糊付ロールの駆動を停止することができ、最後のクロスの糊付長さを再測長する必要がなく、糊付作業効率を著しく阻害することのない自動壁紙糊付機を得ることができるという効果がある。
【発明を実施するための最良の形態】
【００２３】
本発明においては、シート状壁装材の末端を検知して糊付けローラの駆動を停止するクロス切れ検知手段を配するものであり、解かれながら糊付されるロール状に巻かれたクロスの端末の通過を検知し、端末が検知された場合に速やかに糊付ローラの駆動を停止することができ、新たなクロスを装着した際にもクロスの表面に糊液が付着されることがないものである。
【００２４】
本発明のクロス切れ検知手段としては、光学センサ等を用いて非接触でクロスの端末を検出する手段や、自動壁紙糊付機に既設のローラ以外のローラをクロスに接触させてその回転でクロスの端末を検出する手段ものが考えられる。しかしながら、光学センサを用いる場合には受光部等に汚れが付着した場合には誤動作や作動不能に陥る虞があるため、実現性に乏しい。
【００２５】
また、接触式又は非接触式の検出手段においては、既設のローラ以外のローラをクロスに接触させる新たなローラを配置するため、その取り外し取り付けの煩わしさがある。詳しくは、壁紙糊付機は糊付作業終了時に清掃する必要があり、コントローラを取り外して水で洗浄するだけでなく、糊付けローラや他のローラについても糊付機本体から取り外して又は取付けたまま水で洗浄する。その際に、電気的な処理を必要とする光学センサやローラに設けられたカウンタ等は洗浄時には洗浄水による短絡を防止するため、非接触の光学センサやクロスに接触させるローラ等は洗浄時には取り外し、洗浄後は取付ける必要がある。
【００２６】
そこで、本発明では、クロス切れ検知手段が、駆動機構により回転駆動される糊付けローラ表面に前記壁装材を押し付けるために上から押さえて壁装材の移動に応じて回転する押さえローラの回転状態を検出する回転検出手段と、前記糊付けローラの回転駆動中の押さえローラの回転の有無を認識して押さえローラの回転がない場合にクロス切れ信号を出力して糊付けローラの駆動を停止する制御手段とを含む。これにより、既設のローラである押さえローラを用いるため、糊付けローラの寸前でクロスの端末の通過を検知することができるため、クロスに無駄がなく、クロスの端末が糊付けローラを超える前に確実に停止することができる。
【００２７】
更に、本発明では、クロス切れ検知手段が、前記回転検出手段として前記押さえローラの一方の軸心回りに１つ以上装着されたマグネット片と、前記押さえローラの回転に伴い前記マグネット片の近接離反を検知する非接触型スイッチと、前記スイッチに接続された本体側コイルと、この本体側コイルに対向してコントローラに設置されたコントローラ側コイルとを備え、前記制御手段が前記糊付けローラの回転駆動中にコントローラ側コイルに予め定められた振動数のパルス電流を通電しつつ前記スイッチで通電状態から非通電状態への移行の際の本体側コイルの誘導電流による変化を認識して押さえローラの回転がない場合にクロス切れ信号を出力して糊付けローラの駆動を停止するものである。
【００２８】
このため、端子が表出することがないため、モールド等での防水加工が容易となり、糊付機本体側には洗浄時に取り外すべき給電系を存在させなくでき、糊付作業終了後の洗浄時にも濡れることを気にすることがなく、簡便に糊付作業及び洗浄作業を行うことができる。
【００２９】
また、本発明の好ましい態様としては、非接触型スイッチが、接点としての微小な隙間を開けた２枚の磁性体リード細板の磁化を、前記押さえローラの一方の軸心回りに１つ以上装着されたマグネット片の動きに応じて切り替えるリードスイッチを備えることにより、高い精度でクロス切れ検知を行うことができる。
【実施例】
【００３０】
１．全体構成
図１は本発明の支持構造を備えた自動壁紙糊付機の側方構成を示す説明図である。図２は図１の自動壁紙糊付機本体の側方構成を示す説明図である。図３は押さえローラ保持部材と押さえローラとの構成を示す説明図であり、ａ図は図１及び図２に示した押さえローラ保持部材の説明図、ｂ図は押さえローラとの接合を示す説明図である。図４はクロス切れ検知手段の概略構成を示す説明図である。図５は図１の自動糊付機本体のコントローラとの構成を示す説明図であり、ａ図は糊付機本体とコントローラとの接続を示す正面図、ｂ図はコントローラの正面図、ｃ図はコントローラの平面図である。
【００３１】
図１に示す通り、自動壁紙糊付機は、糊付機本体１と、この糊付機本体１を載置する台座部２と、糊付機本体１を所定高さで支持するために台座部２の左右両端下部にそれぞれ前後に二本一対で配される前脚３１と後脚３２とで構成される脚部３とからなる。
【００３２】
一対の後脚３２には、クロス受けブラケット３３が回動自在に配されており、クロス受けブラケット３３の先端部には、原反ロールＲの中心に通されたクロス芯棒３４が軸支されている。原反ロールＲから繰り出されるクロスＣは、後脚３２の折り畳み部３５に横架された第１テンションバー３６に当接して糊付機本体の引き込み口での引き込み荷重が与えられる。
【００３３】
糊付機本体１は、糊桶６を主とする下部構体４とその上に開閉可能に載置される上部構体５とによって構成される。各ローラの回転に伴って糊付機本体１の後面側から前方へ搬送されてくるクロス裏面に回転しながら当接して連続的に糊を塗布する糊付けローラ４１は、下部構体４の左右両側壁面の軸支板に、できるだけ糊桶６内に沈む下方位置の配置となるように軸支されている。また、糊桶６内の糊を回転によって掻き上げて糊付けローラ４１に転写する糊上げローラ６１は、糊桶６の両側側面に、中心より後面側寄りの位置で軸支されている。
【００３４】
糊付けローラ４１は、糊付機本体１に着脱自在に取付けられる駆動源である電動モータを備えたコントローラ８（図３参照）の回転軸に連結されている。糊桶６の側板に軸止された糊付けローラ４１の回転軸は、下部構体４に配置される下ピンチローラ４２、ドクターローラ４３、均しローラ４４及び上部構体５に配置されるドライブローラ５３の各々の回転軸とギアを介して連動される。
【００３５】
糊付けローラ４１の回転に伴って、ギアを介して回転運動が伝達された他のローラも回転し、上下部構体間に挟み込まれているクロスＣを後方から前方へ搬送し、その途中で糊付けローラ４１上を搬送される際に糊桶６から引き上げられた糊がクロス裏面に転写塗布される。尚、検尺ローラとして用いられる上ピンチローラ５１と押さえローラ５２とは、ギアを介して糊付けローラ４１とは接続されず遊輪軸であり、後方から前方へ搬送されていくクロスに当接して表面摩擦によって追従回転するものである。
【００３６】
また、糊付機本体１の後面側には、スリッター７を備える。スリッター７は、クロスＣを沿わせて搬送する搬送通路となるガイド面部７１と、このガイド面部７１への上流側とガイド面部７１の下流側にクロス全幅に亘ってガイド面部７１方向へ押圧された状態でガイド面部７１上にテンションをかけるように配置されるテンションバー７２と、ガイド面部７１の側端部領域に各々回転刃７０とを備えている。
【００３７】
ガイド面部７１は、スリッターの上下に亘って形成され、その下端縁部（即ち、壁装材搬送上流側縁部）と、上端縁部（即ち、壁装材搬送下流側縁部）とは、壁装材Ｃの搬送方向を曲折するための曲面部７３，７４を各々有している。スリッター７の下方（即ち、クロス搬送上流側）の第２テンションバー７２は、第１テンションバー３６と同様にクロスＣの全幅を超える長さの丸棒部材であり、ガイド面部７１の曲面部７３，７４と併せて糊付機本体へ引き込まれるクロスＣに良好なテンションをかけることができる。
【００３８】
２．クロス切れ検知手段
押さえローラ５２は両端部を図３に示す押さえローラ保持部材５４で保持され、上部構体５に配置される。押さえローラ保持部材５４は、上ピンチローラ５１の両端部分に各々軸止される一部を切欠いた孔の支点部５５を一端部に備え、本体の両側構体の対向位置に各々形成された支持軸５６の一方に挿通される挿通孔としての長孔５７を他端部に備え、これら支点部５５と長孔５７との間に押さえローラ５２の端部を保持する取付け孔の押さえローラ保持部５８を備えている。
【００３９】
高さ保持機構としての長孔５７の外形は、支点部５５を中心とする円弧状の長孔であり、支持軸５６に対して上下方向に移動可能である。支持軸５６に対して上下方向に移動することにより、長孔５７の下端位置が押さえローラ５２の押さえ位置を低くしてクロスＣに対して糊付けに必要な張力を与える第１高さ位置となり、長孔５７の上端位置が押さえローラ５２の押さえ位置を高くして第１高さ位置での張力に対して低い張力をクロスＣに与える第２高さ位置となる。
【００４０】
長孔５７には、内側に支持軸５６に対して長孔５７の上端位置及び下端位置で係合するストッパーとしての突起５７ａを備えている。これは、長孔５７の側壁の一部にコ字状の切れ込み５７ｂと、この切れ込み５７ｂに囲まれた長孔内壁部分に突起５７ａとを形成し、切れ込み５７ｂに囲まれた長孔内壁をバネ部材として使用している。即ち、支持軸５６に対して押さえローラ保持部材５４の長孔５７を上端又は下端へ移動させると、切れ込み５７ｂに囲まれた長孔内壁及び突起５７ａは支持軸５６に押されて外方へ移動し、長孔５７の他方へ移動すると元に戻ることとなる。尚、押さえローラ保持部材５４は、切れ込み５７ｂに囲まれた長孔内壁がバネ部材として変形と復元とが行われる材質であれば、金属製或いは樹脂製でもよい。
【００４１】
図３のａ図に示す通り、上部構体５に配置される押さえローラ５２のコントローラ側の押さえローラ保持部材５４の押さえローラ保持部５８の近傍には、リードスイッチ５９が装備されている。尚、コントローラ側でない押さえローラ保持部材５４はリードスイッチ５９が装備されていない以外は対向した状態では同じ構成となる。
【００４２】
一方、図３のａ図及びｂ図に示す通り、押さえローラ５２のコントローラ側の端部には、リードスイッチ５９に近接して、４つの永久磁石５２ａ（マグネット片）がＮ極Ｓ極が交互に１周するように埋め込まれたマグネット板５２ｂが備えられている。
【００４３】
図４及び図５に示す通り、押さえローラ保持部材５４のリードスイッチ５９は上部構体５の側壁部からヒンジ近傍を経て下部構体４の本体側コイル４５に至り、リードスイッチ５９に戻る配線４６からなる閉回路が備えられている。押さえローラ５２はクロスの移動に伴って追従回転する。押さえローラ５２の回転に伴いマグネット板５２ｂ内部の永久磁石５２ａは、永久磁石５２ａのＮ極Ｓ極が近傍を通過する毎にリードスイッチ５９をＯＮ／ＯＦＦして、閉回路の通電・非通電状態を繰り返す。
【００４４】
これに対して、本体側コイル４５に対向したコントローラ８には、コントローラ側コイル８５が設置されており、コントローラ側コイル８５に予め定められた振動数のパルス電流を通電しつつこれを計測する計測手段８１と、リードスイッチ５９と本体側コイル４５の間で形成された閉回路が形成される状態と、リードスイッチ５９がマグネット板５２ｂによってＯＦＦとなって非通電となり閉回路が遮断される状態との繰り返しを検知し、クロスの末端が押さえローラ５２を通過して、ローラ５２が追従回動しなくなった際に糊付けローラの駆動を停止する通電制御手段８２とを備える。
【００４５】
以上のように、リードスイッチ５９と本体側コイル４５の間で形成された閉回路はモールド等での防水加工が容易となり、糊付機本体側には洗浄時に取り外すべき給電系を存在させなくできる。このため、糊付作業終了後の洗浄時にも濡れることを気にすることがなく、簡便に糊付作業及び洗浄作業を行うことができ、高い精度でクロス切れ検知を行うことができる。
【図面の簡単な説明】
【００４６】
【図１】本発明の支持構造を備えた自動壁紙糊付機の側方構成を示す説明図である。
【図２】図１の自動壁紙糊付機本体の側方構成を示す説明図である。
【図３】押さえローラ保持部材と押さえローラとの構成を示す説明図であり、ａ図は図１及び図２に示した押さえローラ保持部材の説明図、ｂ図は押さえローラとの接合を示す説明図である。
【図４】図１の自動糊付機本体のコントローラとの構成を示す説明図であり、ａ図は糊付機本体とコントローラとの接続を示す正面図、ｂ図はコントローラの正面図、ｃ図はコントローラの平面図である。
【図５】クロス切れ検知手段の概略構成を示す説明図である。
【図６】従来の自動壁紙糊付機の内部構成を示す説明図である。
【符号の説明】
【００４７】
Ｒ…原反ロール、
Ｃ…クロス、
１…糊付機本体、
２…台座部、
３…脚部、
３１…前脚、
３２…後脚、
３３…クロス受けブラケット、
３４…クロス芯棒、
３５…折り畳み部、
３６…第１テンションバー、
４…下部構体、
４１…糊付けローラ、
４２…下ピンチローラ、
４３…ドクターローラ、
４４…均しローラ、
４５…本体側コイル、
４６…配線、
５…上部構体、
５１…上ピンチローラ、
５２…押さえローラ、
５２ａ…永久磁石５２ａ（マグネット片）、
５２ｂ…マグネット板、
５３…ドライブローラ、
５４…押さえローラ保持部材、
５５…支点部、
５６…支持軸、
５７…長孔、
５８…押さえローラ保持部、
５７ａ…突起、
５７ｂ…切れ込み、
５９…リードスイッチ、
６…糊桶、
６１…糊上げローラ、
７…スリッター、
７１…ガイド面部、
７２…第２テンションバー、
７０…回転刃、
７３…曲面部、
７４…曲面部、
８…コントローラ、
８１…計測手段、
８２…通電制御手段、
８５…コントローラ側コイル、
【図１】
0005214935.tif 000002
【図２】
0005214935.tif 000003
【図３】
0005214935.tif 000004
【図４】
0005214935.tif 000005
【図５】
0005214935.tif 000006
【図６】
0005214935.tif 000007